(57)【特許請求の範囲】
【請求項１】
走行するウェブの一部を取り囲むように形成した部屋のウェブ走行方向側の壁にウェブの出入口となる開口部をウェブの幅方向の全長に亘るよう長く設け、該開口部の上下辺縁部の外壁面又は内壁面に、先端部を開口部に位置させるようにしたシャッタを該開口部の幅方向にスライド可能に対向配置し、且つ該上下のシャッタに、上記開口部への突出量を変えるためのアクチュエータをそれぞれ取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成を有することを特徴とするウェブ出入口開口部の空気流通抑制装置。
【請求項２】
走行するウェブの一部を取り囲むように形成した部屋のウェブ走行方向側の壁にウェブの出入口となる開口部をウェブの幅方向の全長に亘るよう長く設け、該開口部の上下辺縁部の外壁面及び内壁面に、先端部を開口部に位置させるようにしたシャッタを該開口部の幅方向にスライド可能に対向配置すると共に、上記開口部の外壁面側と内壁面側の両シャッタを上記開口部内を通した連結部材にて一体に連結し、且つ該一体に連結された内壁面側又は外壁面側のシャッタに、上記両シャッタの開口部への突出量を変えるためのアクチュエータを取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成を有することを特徴とするウェブ出入口開口部の空気流通抑制装置。
【請求項３】
上下のシャッタの位置よりも反開口部側位置の壁面に、各シャッタの基端側を長手方向の全長に亘って覆うカバーを設けた請求項１又は２記載のウェブ出入口開口部の空気流通抑制装置。
【発明の詳細な説明】
【０００１】
【発明の属する技術分野】
本発明はカーテンコータにより塗工を行う際の空調室のウェブ出入口やエアドライヤのウェブの出入口となる開口部を通過する空気の流通を抑制できるようにするウェブ出入口開口部の空気流通抑制装置に関するものである。
【０００２】
【従来の技術】
製紙工場で製造された紙はそのままの形で直ちに使用されることは少なく、更に加工を施して所要の目的に適合する製品としての加工紙とする場合が多く、その一つに塗被加工紙（塗工紙）とするようにしたものがある。
【０００３】
一例として塗工紙について説明すると、塗工紙を製造する塗工機には種々のものがあるが、たとえばカーテンコータの場合は、図４にその一例の概略を示す如く、ウェブとしての原紙１をコータロール２に巻回させてからガイドロール７に沿わせて走行させるようにして、該コータロール２とガイドロール７との間に位置する原紙１の上方位置に、塗工液３を一様なカーテン膜状に流下させるカーテンコータヘッド（給液ヘッド）４を配置して、該カーテンコータヘッド４から流下する塗工液３を原紙１の表面に流下させることにより、該塗工液３を原紙１上に直接塗布させるようにしてあり、この際、カーテンコータヘッド４の周囲の雰囲気を、一定の温度で且つ一定以下の湿度となるように保つ必要があるため、カーテンコータヘッド４と該カーテンコータヘッド４の近傍を走行中の一部の原紙１を取り囲むように部屋を形成して空調室５を設け、該空調室５の内部の温度及び湿度の空調を実施するようにしている。上記カーテンコータヘッド４より流下された塗工液３により表面に塗工液膜が形成された原紙１は、カーテンコータヘッド４の下流側に設置された部屋内に熱風吹出しノズル装置を備えてなるエアドライヤ６に導いて、走行させながら連続的に乾燥処理を施すようにしている。
【０００４】
ところで、上記カーテンコータの空調室５の出入口や、エアドライヤ６の出入口の如く、原紙１が部屋の壁を貫通して走行する部分は、図５に示す如く、壁８に、原紙１を通過させ得る所要の長さ及び幅を有する開口部９が設けてあり、該開口部９の幅方向となる上下の辺縁部の内壁面及び外壁面に、原紙１の幅方向となる開口部９の長手方向の全長に亘って延びる細長い板状のシャッタ１０を相対向させて配置して、上下の各シャッタ１０の相対向する側の先端部を折り曲げて屈曲させ、且つ該折り曲げた先端部１０ａの対峙間隔を、通紙の際の必要な高さ寸法を基準とした開口量となるように設定して、シャッタ１０をボルト１１により壁８に取り付けて固定するようにしてある。
【０００５】
【発明が解決しようとする課題】
ところが、先端部１０ａ同士の間に通紙の際に必要な開口量が形成されるように固定してあるシャッタ１０では、操業運転時に走行する原紙１との隙間が大きく開いており、このため上記開口部９では内外方向の空気の流通の遮断が十分に行えずに空気の出入りが生じるようになり、このような開口部９を通しての空気の出入りが図４に示した如きカーテンコータの空調室５の出入口で生じた場合には、空調の効率が悪くなるという問題があり、又、エアドライヤ６の出入口で生じた場合には、走行する原紙１に連れ廻される外気が入口側より侵入して、内部温度が下がるため、乾燥効率が悪くなると共に、出口側から熱風がもれるようになるため、周囲の環境が悪化する虞が生じるという問題がある。
【０００６】
因みに、上記開口部９に設けたシャッタ１０の先端部１０ａ同士の間隔を、原紙１の通紙作業を行った後に調整して固定することも考えられるが、この場合においても上下方向に相対向するシャッタ１０の先端部１０ａ同士の間隔は操業運転時に走行する原紙１が万一ばたついたとしてもシャッタ１０と接触する虞のないように、該走行する原紙１のばたつきを考慮した開口量が得られるようにしなければならず、シャッタ１０と走行する原紙１との間隔をあまり狭くすることができなくて、開口部８における空気の流通を十分に防ぐことはできない。
【０００７】
そこで、本発明は、走行するウェブを取り囲むように配置した部屋の壁に設けたウェブの出入口となる開口部での空気の流通を抑制できるウェブ出入口開口部の空気流通抑制装置を提供しようとするものである。
【０００８】
【課題を解決するための手段】
本発明は、上記課題を解決するために、走行するウェブの一部を取り囲むように形成した部屋のウェブ走行方向側の壁にウェブの出入口となる開口部をウェブの幅方向の全長に亘るよう長く設け、該開口部の上下辺縁部の外壁面又は内壁面に、先端部を開口部に位置させるようにしたシャッタを該開口部の幅方向にスライド可能に対向配置し、且つ該上下のシャッタに、上記開口部への突出量を変えるためのアクチュエータをそれぞれ取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成とする。
【０００９】
ウェブを走行させる際、走行が安定している場合には、該ウェブの開口部を通過する位置がセンサーにより検出され、該検出されたウェブの走行位置に対応してコントローラにより各アクチュエータが伸長作動させられて、各シャッタと原紙との距離が小さくなるように制御される。走行するウェブの走行位置が変わると、その変化がセンサーにより検出されるため、コントローラから、上記変化したウェブの走行位置に対応できるように各アクチュエータに収縮指令が発せられて、各シャッタとウェブとの間の距離が小さいままで保持されるように対向する上下のシャッタ間の間隔が広げられる。その後、再び原紙の走行が安定すれば、再度シャッタの間隔が狭められて、原紙との隙間が小さくなるように制御され、したがって、ウェブとシャッタとの間隔は常に小さく保たれるので、ウェブの出入口となる壁の開口部での空気の流通は抑制される。
【００１０】
又、走行するウェブの一部を取り囲むように形成した部屋のウェブ走行方向側の壁にウェブの出入口となる開口部をウェブの幅方向の全長に亘るよう長く設け、該開口部の上下辺縁部の外壁面及び内壁面に、先端部を開口部に位置させるようにしたシャッタを該開口部の幅方向にスライド可能に対向配置すると共に、上記開口部の外壁面側と内壁面側の両シャッタを上記開口部内を通した連結部材にて一体に連結し、且つ該一体に連結された内壁面側又は外壁面側のシャッタに、上記両シャッタの開口部への突出量を変えるためのアクチュエータを取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成とすることにより、開口部の内外両面側に設けたシャッタにより、開口部での空気の流通抑制効果を高めることができる。
【００１１】
更に、上下のシャッタの位置よりも反開口部側位置の壁面に、各シャッタの基端側を長手方向の全長に亘って覆うカバーを設けた構成とすることにより、壁面とシャッタの裏面との隙間を通る空気を遮断できるため、開口部での空気の流通抑制効果をより高めることができる。
【００１２】
【発明の実施の形態】
以下、本発明の実施の形態を図面を参照して説明する。
【００１３】
図１（イ）（ロ）は本発明のウェブ出入口開口部の空気流通抑制装置の実施の一形態を示すもので、図５に示したものと同様に壁８の開口部９の上下の辺縁部の外面側に、図５に示したシャッタ１０と同様な外形を有するシャッタ１０を、裏面を壁に接触させた状態で互いに先端部１０ａを開口部９内に突出させるように上下方向に対向配置した構成において、図５に示す如き固定した構成に代えて、上下方向に移動できるようにしたものである。すなわち、本発明における上下の各シャッタ１０は、長手方向両端部を、壁８の外壁面に設置した上下方向に延びるガイドレール１２に係合させて上下方向にスライド自在に支持させ、且つ上下の各シャッタ１０の長手方向所要間隔位置における反開口部９側位置となる壁８の外壁面に、流体圧シリンダの如き複数のアクチュエータ１３を開口部９の方向に向けて設置すると共に、該各アクチュエータ１３の作動ロッド１４の先端部を、対応するシャッタ１０の表面に取付部材１５を介して取り付けて、上記各アクチュエータ１３を伸縮作動させることにより各シャッタ１０の先端部１０ａ部の開口部９への突出量を変化させることができるようにし、更に、開口部９の外側の斜め上方位置に、該開口部９を走行して通過する原紙１の位置を検出するためのセンサー１６を配設すると共に、該センサー１６からの検出信号に基づいて走行する原紙１とシャッタ１０との距離を演算して、該演算結果に応じて各アクチュエータ１３に作動指令を発するコントローラ１７を備えた構成とする。
【００１４】
上記コントローラ１７は、開口部９の上下方向に対向配置された各シャッタ１０の先端部１０ａの対峙間隔を、走行する原紙１との距離が所定の小さな寸法となるように、開口部９の上下両側のアクチュエータ１３を対向方向に同期して伸縮作動させて調整して、空気の流通を抑えることができるようにしてある。
【００１５】
今、原紙１を開口部９に通す場合には、コントローラ１７により開口部９の上下のシャッタ１０の間隔を広げて開口量を大きくしてあるので、通紙作業を容易に実施できる。
【００１６】
原紙１を走行させて操業運転する際、原紙１の走行が安定している場合には、該原紙１の開口部９を通過する位置がセンサー１６により検出され、該検出された原紙１の走行位置に対応してコントローラ１７により各アクチュエータ１３が伸長作動されて、各シャッタ１０が、先端部１０ａ側を開口部９内に大きく突出させるようにスライドさせられて、原紙１との距離が所定の小さな寸法となるように制御されるため、開口部９における空気の流通は抑制される。
【００１７】
一方、走行する原紙１がばたついて原紙１の走行位置が変わると、その変化がセンサー１６により検出されるため、コントローラ１７から、上記変化した原紙１の走行位置に対応できるように各アクチュエータ１３に収縮指令が発せられ、各アクチュエータ１３が収縮作動されて、ばたついた原紙１と各シャッタ１０との間隔が所定の小さな寸法となるように対向する上下のシャッタ１０間の間隔が広げられ、これにより開口部９での空気の流通が抑制される。
【００１８】
その後、再び原紙１の走行が安定した場合には、センサー１６により開口部９を通過する原紙１の位置が検出され、該検出された原紙１の位置に対応して各シャッタ１０の間隔狭められて、原紙１との隙間が所定の小さな寸法となるように制御される。
【００１９】
このように、原紙１が安定走行している場合にも、又、万一ばたつきが生じた場合にも壁８の開口部９を走行して通過する原紙１の位置に応じて、原紙１とシャッタ１０との間隔を、所定の小さな寸法となるように制御できるので、開口部９を通しての壁８の内外方向への空気の流通を最小限に抑えることができ、したがって、図４に示した如きカーテンコータの空調室５の出入口に本発明の装置を採用すれば、空調室５への外気の流入や内部空気の外部への流出を抑制できるため、空調効率を高めて省エネルギー効果を得ることができる。又、図４に示した如きエアドライヤ６の出入口に採用すれば、走行する原紙１に連れ廻されるエアの入口からの侵入を抑制できて、該エアドライヤの乾燥効率を高めることが可能になると共に、出口からの熱風の吹き出しを抑制できて、周囲環境が悪化する虞を防止することができる。
【００２０】
次に、図２（イ）（ロ）は本発明の実施の他の形態を示すもので、図１（イ）（ロ）に示したものと同様な構成としてあるウェブ出入口開口部の空気流通抑制装置において、開口部９の上下の辺縁部における壁８の内面側にもシャッタ１０を設けて、該内面側のシャッタ１０を外面側のシャッタ１０と連動して上下方向に移動できるようにしたものである。すなわち、開口部９の上下の辺縁部における壁８の内面側に、上記外面側のシャッタ１０と内外方向で対称的となるようにシャッタ１０を配置して、該内側のシャッタ１０の長手方向両端部を壁８の内壁面に取り付けた上下方向に延びるガイドレール１２にそれぞれ上下方向にスライド自在に支持させ、且つ該上下の各内面側のシャッタ１０の開口部９への突出端部を、外面側のシャッタ１０の開口部９への突出端部に、ボルトの如き連結部材１８により連結して一体とし、アクチュエータ１３の伸縮作動により外壁面側のシャッタ１０をスライドさせることにより内側のシャッタ１０が一体としてスライドできるようにした構成としてある。
【００２１】
その他、図１（イ）（ロ）に示したものと同一のものには同一符号が付してある。
【００２２】
本実施の形態によれば、開口部９の内外両面側にシャッタ１０を設けて、該内外両側のシャッタ１０を一体にスライドさせて開口部９を通過する原紙１との間隔を調整でき、このため開口部９の内外方向への空気の流通抑制効果を高めることができる。
【００２３】
次いで、図３（イ）（ロ）は本発明の実施の更に他の形態を示すもので、図１（イ）（ロ）に示したものと同様の構成としてあるウェブ出入口開口部の空気流通抑制装置において、アクチュエータ１３の収縮作動時における各シャッタ１０位置よりも反開口部９側となる壁８の外壁面に、各シャッタ１０の基端側を長手方向の全長に亘って覆うカバー１９を設けると共に、該各カバー１９の長手方向両端部を、各シャッタ１０の長手方向両端部に設けてあるガイドレール１２に一体に連結したものである。
【００２４】
その他の構成は、図１に示したものと同様であり、同一のものには同一符号が付してある。
【００２５】
本実施の形態によれば、壁８の外側面とシャッタ１０の裏面との隙間を通る空気をカバー１９で遮断できるため、開口部９の内外方向への空気の流通抑制効果を高めることができる。
【００２６】
なお、本発明は上記実施の形態のみに限定されるものではなく、図１乃至図３においては、いずれもアクチュエータ１３やセンサ１６やコントローラ１７を壁８の外側に設置するものを示したが、これらを壁８の内側に設けるようにしてもよいこと、シャッタ１０の長手方向に取り付けるアクチュエータ１３の設置数は、シャッタ１０を長手方向の全長に亘り均一に上下方向にスライドさせることができれば、シャッタ１０の長手方向の寸法に応じて自在に増減させてよく、又、開口部９の長手方向の寸法が小さくてシャッタ１０の全長が短い場合にはアクチュエータ１３は単数としてもよいこと、アクチュエータ１３は流体圧シリンダの如きものとして説明したが、各シャッタをスライドさせると共にそのスライド量を制御することができれば、ピニオンラック方式や回転するスクリュー軸と固定したナットを用いた形式等、他の形式のアクチュエータを採用してもよいこと、図２に示した如き壁８の内外両側にシャッタ１０を設けた構成において、図３（イ）（ロ）に示したカバー１９と同様なシャッタ１０の基端側を覆うカバー１９を設けるようにしてもよいこと、その他、本発明の要旨を逸脱しない範囲内において種々変更を加え得ることは勿論である。
【００２７】
【発明の効果】
以上述べた如く、本発明のウェブ出入口開口部の空気流通抑制装置によれば、走行するウェブの一部を取り囲むように形成した部屋のウェブ走行方向側の壁にウェブの出入口となる開口部をウェブの幅方向の全長に亘るよう長く設け、該開口部の上下辺縁部の外壁面又は内壁面に、先端部を開口部に位置させるようにしたシャッタを該開口部の幅方向にスライド可能に対向配置し、且つ該上下のシャッタに、上記開口部への突出量を変えるためのアクチュエータをそれぞれ取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成としてあるので、開口部位置を走行して通過する原紙の位置に応じて、該原紙とシャッタとの間隔を、常に小さくなるよう制御できるので、開口部を通しての壁の内外方向の空気の流通を最小限に抑えることができ、したがって、カーテンコータの空調室の出入口に採用すれば、空調室への外気の流入や内部空気の外部への流出を抑制でき、空調効率を高めて省エネルギー効果を得ることができ、又、エアドライヤの出入口に採用すれば、走行する原紙に連れ廻されるエアの入口からの侵入を抑制できて、乾燥効率を高めることが可能になると共に、出口からの熱風の吹き出しを抑制できて、周囲環境が悪化する虞を防止することができるという優れた効果を発揮し、又、走行するウェブの一部を取り囲むように形成した部屋のウェブ走行方向側の壁にウェブの出入口となる開口部をウェブの幅方向の全長に亘るよう長く設け、該開口部の上下辺縁部の外壁面及び内壁面に、先端部を開口部に位置させるようにしたシャッタを該開口部の幅方向にスライド可能に対向配置すると共に、上記開口部の外壁面側と内壁面側の両シャッタを上記開口部内を通した連結部材にて一体に連結し、且つ該一体に連結された内壁面側又は外壁面側のシャッタに、上記両シャッタの開口部への突出量を変えるためのアクチュエータを取り付け、更に、上記開口部を通過するウェブの位置を検出するセンサーと、該センサーの検出信号に基づいて上記各アクチュエータを対向方向に同期して伸縮作動させる指令を発して上記シャッタの間隔を広げたり狭めたりするコントローラとを備え、上記開口部を通過するウェブの出入口での空気の流通を抑制するようにした構成とすることにより、開口部の内外両面側に設けたシャッタにより、開口部の内外方向への空気の流通抑制効果を高めることができ、更に、上下のシャッタの位置よりも反開口部側位置の壁面に、各シャッタの基端側を長手方向の全長に亘って覆うカバーを設けた構成とすることにより、壁面とシャッタの裏面との隙間を通る空気を遮断できるため、開口部の内外方向への空気の流通抑制効果をより高めることができるという優れた効果を発揮する。
【図面の簡単な説明】
【図１】本発明のウェブ出入口開口部の空気流通抑制装置の実施の一形態を示すもので、（イ）は概略切断側面図、（ロ）は（イ）のＡ−Ａ方向矢視図である。
【図２】本発明の実施の他の形態を示す概略切断側面図である。
【図３】本発明の実施の更に他の形態を示すもので、（イ）は概略切断側面図、（ロ）は（イ）のＢ−Ｂ方向矢視図である。
【図４】従来のカーテンコータの一例を示す概要図である。
【図５】従来のウェブとしての原紙の出入口開口部を示す概略切断側面図である。
【符号の説明】
１  原紙（ウェブ）
８  壁
９  開口部
１０  シャッタ
１０ａ  先端部
１３  アクチュエータ
１６  センサー
１７  コントローラ
１８  連結部材
１９  カバー
【図１】
0004608792.tif 000002
【図２】
0004608792.tif 000003
【図３】
0004608792.tif 000004
【図４】
0004608792.tif 000005
【図５】
0004608792.tif 000006